(57)【要約】【課題】  ランドセルに着脱可能な長尺物ケースであって、登下校の際に柱や塀などにぶつけるおそれの少ないランドセル用長尺物ケースを得る。【解決手段】  上部に形成された差し入れ口から差し入れられた長尺物の全部又は一部を収納可能な袋本体と、袋本体の取付け側面の略上部に形成され、ランドセルの何れか一方の側壁部に表出している前ベルトを着脱可能なループ又はフックに掛止される第１の掛止部と、袋本体の取付け側面の下端部に固定され、自由端部がランドセルの何れか一方の底面側で背負い紐又は背負い紐の取付け金具を着脱可能なループに掛止される第２の掛止部とを備えたものである。【選択図】      図４
0003132033.tif 000002
【実用新案登録請求の範囲】
【請求項１】
上部に形成された差し入れ口から差し入れられた長尺物の全部又は一部を収納可能な袋本体と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部がランドセルの何れか一方の底面側で背負い紐又は背負い紐の取付け金具を着脱可能なループに掛止される第２の掛止部とを備えたことを特徴とするランドセル用長尺物ケース。
【請求項２】
上部に形成された差し入れ口から差し入れられた長尺物の全部又は一部を収納可能な袋本体と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部がランドセルの何れか一方の底面側で背負い紐又は背負い紐の取付け金具を着脱可能なループに掛止される第２の掛止部とを備え、
第２の掛止部の自由端部が、前記ランドセルの底面側で背負い紐又は背負い紐の取付け金具に掛止されていない状態では自身の可撓性により前記袋本体の取付け側面に沿うように、第２の掛止部の固定端が前記取り付け側面の下端部に取付けられていることを特徴とするランドセル用長尺物ケース。
【請求項３】
上部に形成された差し入れ口から差し入れられた長尺物の全部又は一部を収納可能な袋本体と、
この袋本体の差し入れ口のランドセルへの取付け側の縁部に固定され、自由端部が前記差し入れ口の全体を覆って差し入れ口の対向縁部の側面に着脱自在に固定されるフラップ部と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部をランドセルの何れか一方の底面側で背負い紐又は背負い紐の取付け金具を着脱可能なループに掛止される第２の掛止部とを備え、
前記フラップ部に長尺物を前記袋本体内部に差し入れ可能なスリットが形成されていることを特徴とするランドセル用長尺物ケース。
【請求項４】
上部に形成された差し入れ口から差し入れられた長尺物の全部又は一部を収納可能な袋本体と、
この袋本体の差し入れ口のランドセルへの取付け側の縁部に固定され、自由端部が前記差し入れ口の全体を覆って差し入れ口の対向縁部の側面に着脱自在に固定されるフラップ部と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部がランドセルの何れか一方の底面側で背負い紐又は背負い紐の取付け金具を着脱可能なループに掛止される第２の掛止部とを備え、
前記フラップ部に長尺物を前記袋本体内部に差し入れ可能なスリットが形成され、
第２の掛止部の自由端部が、前記ランドセルの底面側で背負い紐又は背負い紐の取付け金具に掛止されていない状態では自身の可撓性により前記袋本体の取付け側面に沿うように、第２の掛止部の固定端が前記取り付け側面の下端部に取付けられていることを特徴とするランドセル用長尺物ケース。
【考案の詳細な説明】
【技術分野】
【０００１】
本考案は、ランドセルに着脱可能に配することの可能なリコーダーや定規などの長尺物を収納可能なケースに関するものである。
【背景技術】
【０００２】
従来、小学生等が背負うランドセルは、教科書等を入れる本体ポケット（所謂「大マチ」）及び本体ポケットに並設された副ポケット（所謂「小マチ」）が並設されたランドセル本体と、前記大マチ及び小マチの各々の開口の全幅に亘って覆う「カブセ」と呼ばれる蓋部材と、ランドセル本体の蓋部材の固定端の中央近傍に背カンと呼ばれる金具を配し、背カンに一端を固定された左右一対のレンジャクと、ランドセル本体の底面の略幅方向に配された左右一対の取付け金具に一端を固定された一対のブラ（腰ヒモ）とを配し、一対のレンジャクと一対のブラとを各々繋いで背負い紐とする構成である。
【０００３】
ランドセルはこのような構成のため、リコーダ等の長尺物をカブセの側部から大マチ内部へ差し入れた状態で保持すると、リコーダの側壁に当接するカブセ部分が折れてシワになったり、カブセを留める留め具同士が旨く嵌らなかったりする場合もあった。
【０００４】
また、リコーダをランドセルに差し入れたまま登下校すると、カブセによってリコーダ側壁が押されるため、徐々にリコーダが斜めになり、終いにはリコーダがランドセルから抜け落ち、紛失することもあった。
【０００５】
また、リコーダを布製の巾着袋などに収納して、ランドセルの本体外側壁に配されている「ナスカン」「Ｄカン」と呼ばれるフック具等に巾着袋の紐を取付けて登下校する場合もあった。しかしながら、登下校中に走ったり、歩いたりしていると、不用意に柱や塀などにぶつけてリコーダ自体を破損させてしまう場合もあった。
【０００６】
そのため、ランドセルの本体外側壁に長尺物を差し立て入れて携帯するためのポケットを縫いつけたものが提案されている（例えば、特許文献１参照）。
【特許文献１】実用新案登録第３０７１８０３号
【考案の開示】
【考案が解決しようとする課題】
【０００７】
しかしながら、既製のランドセルに新たにポケットを縫いつけることは難しい。また、縫いつけられたポケットに入れて登校した場合には、音楽の時間などリコーダを収納したまま音楽室等へ移動する際には、ポケットから一旦出して裸のまま持って行かざるを得ない。
【０００８】
本考案は、音楽の時間などリコーダを収納したまま音楽室等へ移動でき、家庭内ではリコーダを収納したまま保管ケースとすることもできるランドセルに着脱可能な長尺物ケースであって、登下校の際に柱や塀などにぶつけるおそれの少ないランドセル用長尺物ケースを得ることを目的とする。
【課題を解決するための手段】
【０００９】
請求項１に記載された考案に係るランドセル用長尺物ケースは、上部に形成された差し入れ口から差し入れられた長尺物の全部又は一部を収納可能な袋本体と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部がランドセルの何れか一方の底面側で背負い紐又は背負い紐の取付け金具を着脱可能なループに掛止される第２の掛止部とを備えたことを特徴とするものである。
【００１０】
請求項２に記載された考案に係るランドセル用長尺物ケースは、上部に形成された差し入れ口から差し入れられた長尺物の全部又は一部を収納可能な袋本体と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部がランドセルの何れか一方の底面側で背負い紐又は背負い紐の取付け金具を着脱可能なループに掛止される第２の掛止部とを備え、
第２の掛止部の自由端部が、前記ランドセルの底面側で背負い紐又は背負い紐の取付け金具に掛止されていない状態では自身の可撓性により前記袋本体の取付け側面に沿うように、第２の掛止部の固定端が前記取り付け側面の下端部に取付けられていることを特徴とするものである。
【００１１】
請求項３に記載された考案に係るランドセル用長尺物ケースは、上部に形成された差し入れ口から差し入れられた長尺物の全部又は一部を収納可能な袋本体と、
この袋本体の差し入れ口のランドセルへの取付け側の縁部に固定され、自由端部が前記差し入れ口の全体を覆って差し入れ口の対向縁部の側面に着脱自在に固定されるフラップ部と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部がランドセルの何れか一方の底面側で背負い紐又は背負い紐の取付け金具を着脱可能なループに掛止される第２の掛止部とを備え、
前記フラップ部に長尺物を前記袋本体内部に差し入れ可能なスリットが形成されていることを特徴とするものである。
【００１２】
請求項４に記載された考案に係るランドセル用長尺物ケースは、上部に形成された差し入れ口から差し入れられた長尺物の全部又は一部を収納可能な袋本体と、
この袋本体の差し入れ口のランドセルへの取付け側の縁部に固定され、自由端部が前記差し入れ口の全体を覆って差し入れ口の対向縁部の側面に着脱自在に固定されるフラップ部と、
前記袋本体の取付け側面の略上部に形成され、ランドセルの何れか一方の側壁部に表出している前ベルトを着脱可能なループ又はフックに掛止される第１の掛止部と、
前記袋本体の取付け側面の下端部に固定され、自由端部がランドセルの何れか一方の底面側で背負い紐又は背負い紐の取付け金具を着脱可能なループに掛止される第２の掛止部とを備え、
前記フラップ部に長尺物を前記袋本体内部に差し入れ可能なスリットが形成され、
第２の掛止部の自由端部が、前記ランドセルの底面側で背負い紐又は背負い紐の取付け金具に掛止されていない状態では自身の可撓性により前記袋本体の取付け側面に沿うように、第２の掛止部の固定端が前記取り付け側面の下端部に取付けられていることを特徴とするものである。
【考案の効果】
【００１３】
本考案は以上説明した通り、音楽の時間などリコーダを収納したまま音楽室等へ移動でき、家庭内ではリコーダを収納したまま保管ケースとすることもできるランドセルに着脱可能な長尺物ケースであって、登下校の際に柱や塀などにぶつけるおそれが少ないという効果がある。
【考案を実施するための最良の形態】
【００１４】
本考案においては、上部に形成された差し入れ口から差し入れられた長尺物の全部又は一部を収納可能な袋本体と、前記袋本体の取付け側面の略上部に形成され、ランドセルの何れか一方の側壁部に表出している前ベルトを着脱可能なループ又はフックに掛止される第１の掛止部と、前記袋本体の取付け側面の下端部に固定され、自由端部がランドセルの何れか一方の底面側で背負い紐又は背負い紐の取付け金具を着脱可能なループに掛止される第２の掛止部とを備えるため、登下校の際に柱や塀などにぶつけるおそれが少ない。
【００１５】
即ち、本考案においては、袋本体の略上部を第１の掛止部によってランドセルの何れか一方の側壁部に表出している前ベルトに固定すると共に袋本体の下端部を第２の掛止部によってランドセルの底面側で背負い紐又は背負い紐の取付け金具に固定するため、本考案のケースがランドセルの側壁部にしっかりと２点で固定されるため、登下校の際の激しい運動によっても収納された長尺物がブラブラすることなく、柱や塀などにぶつけるおそれが少なく、長尺物の破損の心配も少ない。更に、２点で固定されているため、もし一方の掛止部がランドセルから外れたとしても、ケース自体がランドセルから外れて紛失するおそれも少ない。
【００１６】
また、本考案の長尺物ケースにおいては、ランドセルと掛止する第１の掛止部及び第２の掛止部は各々着脱自在に取付けられるため、音楽の時間などリコーダを収納したまま音楽室等へ移動でき、家庭内ではリコーダを収納したまま保管ケースとすることもできる。
【００１７】
本考案の長尺物ケースの材質としては、内部の長尺物を良好に収納し、ランドセルの側壁部に２点で掛止されるのであれば、布帛、皮革、樹脂等の材質を単独で又は複合して用いることができる。例えば、袋本体としてはランドセルに掛止された場合の上部に差し入れ口が形成される袋状のものであれば、布帛、皮革はもとより、可撓性のある樹脂や一部に金属等を用いてもよい。また、雨水が侵入し難いように撥水処理を行ってもよい。
【００１８】
また、ランドセルの側壁部に接する壁面を厚手にしたり、複数の材質を貼り合わせたりして保形性のある袋体とすることにより、ランドセルとの密着性を向上させてもよい。更に、第１の掛止部、第２の掛止部及び後述するその他の構成部材においても、布帛、皮革、樹脂、金属等の材質を単独で又は複合して用いることができる。
【００１９】
本考案の長尺物ケースの色としては、ランドセルに取付けた際に違和感のないような色が好まれる。例えば、ランドセルの色と合わせたものであれば目立たない利点があるし、黄色等の彩度の高い色であれば、車の運転者に認識しやすく、交通事故防止にも役立つ。また、所持する児童に好まれるような絵を配してもよい。
【００２０】
本考案の第１の掛止部においては、ランドセルの前ベルトに掛止するものであればよい。例えば、着脱可能なループとしては、バンドの一端を袋本体の取付け側面の上部に固定して固定端とし、自由端の先端部に貼り合わせファスナやスナップ金具等の掛止具の一方を配し、このバンドをランドセルの前ベルトの背面に通して袋本体の取付け側面の上部に予め配した掛止具の他方と連結することにより、ループを構成すればよい。
【００２１】
また、本考案では第２の掛止部により袋本体が取付けられたランドセルに対して上方への移動が少ない。そのため、第１の掛止部としては、例えば、袋本体の取付け側面の上部に可撓性の樹脂又は金属板でＵ字状のフック材を採用して、ランドセルの前ベルトに上方から引っ掛かけるものであってもよい。
【００２２】
本考案の第２の掛止部としては、袋本体の取付け側面の下端部に固定され、自由端部がランドセルの何れか一方の底面側で背負い紐又は背負い紐の取付け金具を着脱可能なループで掛止するものであればよい。例えば、バンドの一端を袋本体の取付け側面の下端部に固定して固定端とし、自由端の先端部に貼り合わせファスナやスナップ金具等の掛止具の一方を配し、このバンドをランドセルの底面側で背負い紐又は背負い紐の取付け金具を巻き込んだり、通して袋本体の取付け側面の下端部又はバンドに予め配した掛止具の他方と連結することにより、ループを構成すればよい。尚、第２の掛止部のバンドとしては、それ自体又は固定端と掛止具との間の一部にゴム等の弾性を有する部材を配して、その弾性力によって本考案の長尺物ケースを常にランドセルに対して第２の掛止部方向に引きつけることにより、しっかりと取付けることも可能である。
【００２３】
本考案の好ましい例としては、第２の掛止部の自由端部が、ランドセルの底面側で背負い紐又は背負い紐の取付け金具に掛止されていない状態では自身の可撓性により袋本体の取付け側面に沿うように、第２の掛止部の固定端が取り付け側面の下端部に取付けられているものが挙げられる。これにより、本考案のケースをランドセルから外した際に第２の掛止部が目立たない。
【００２４】
別の好ましい例としては、袋本体の差し入れ口のランドセルへの取付け側の縁部を固定端として、差し入れ口の全体を覆って差し入れ口の対向縁部の側面に自由端部が着脱自在に固定されるフラップ部を備え、このフラップ部に長尺物を前記袋本体内部に差し入れ可能なスリットが形成されているものが挙げられる。これにより、袋本体の長手長さ以下の長尺物では袋本体内部に収納され、容易に飛び出すことがない。また、袋本体の長手長さを超える長尺物であっても、長尺物を差し入れられ、スリットによって容易に飛び出さない利点もある。
【実施例】
【００２５】
図１は本考案のランドセル用長尺物ケースの一実施例の構成を示す正面図である。図２は図１のフラップ部を開放した状態を示す正面図である。図３は図１のランドセル用長尺物ケースの背面図である。図４は図１のランドセル用長尺物ケースの背面側斜視図である。図５は図１のランドセル用長尺物ケースを装着した状態を示す説明図である。
【００２６】
図１、図２に示す通り、本実施例のランドセル用長尺物ケース１０は、ランドセル４０の本体４１の側壁部に取付けられた際に上部に差し入れ口１２となる開口を備えた袋本体１１と、この差し入れ口１２を覆うフラップ部１５と、袋本体１１のランドセルの側壁部側の取付け側面１３の上部に形成された第１の掛止部２０と、袋本体１１の取付け側面１３の下端部に形成された第２の掛止部２５とからなる。何れも目立つように黄色い合成繊維製の帆布で形成した。
【００２７】
袋本体１１の長手方向の長さは、小学校で使用されるソプラノリコーダ３０の頭部管３１と中部管３２と足部管３３とから頭部管３１を外した長さが袋本体１１に収まる長さであればよく、内法で２３ｃｍ程度とした。また、袋本体１１の差し入れ口１２の大きさは分解されたリコーダの頭部管３１と、中部管３２及び足部管３３とが並べて収納できる大きさであればよく、内法の幅は７ｃｍ程度、厚さは２ｃｍ程度とした。尚、袋本体及びフラップの縁領域は同色の厚手の縁布１９でくるんだ上で縫製するパイピング縫製（玉縁縫製）を行ってほつれ止めされている。
【００２８】
フラップ部１５は取付け側面１３から延設されており、表面にはイヌの顔が印刷されている。裏面には面ファスナー１６が配されており、差し入れ口１２の取付け側面１３側を固定端として差し入れ口１２を覆って袋本体１１の前面１４の上部に配された面ファスナー１７で貼り合わせ固定される。フラップ部１５と取付け側面１３との境界領域にはスリット１８が配されている。
【００２９】
図５に示す通り、頭部管３１と中部管３２と足部管３３とを連結したままの長尺なリコーダ３０を、このスリット１８を介して、袋本体１１内部に差し入れることができる。また、このスリット１８は長尺な物差し３５も袋本体１１内部に差し入れることができる。スリット１８であるため、スリット１８を介さずに袋本体１１内部に収納した場合には、目立たず、内部の収納物が逸出することもない。また、スリット１８を介して差し入れた長尺物についても抜けがたい効果も奏する。
【００３０】
図３、図４に示す通り、取付け側面１３の上部に配された第１の掛止部２０と第２の掛止部２５とはパイピング縫製した布地より最寄り厚手の合成樹脂製の布バンドで構成されている。
【００３１】
第１の掛止部２０は、布バンド２１の一端を袋本体の取付け側面１３の上部に縫製・固定して固定端とし、布バンド２１の自由端の先端部に掛止具としてのスナップ金具２２の一方を固設した。袋本体１１の取付け側面１３の対応位置にはスナップ金具２２の他方を固設した。これらスナップ金具２２同士を連結することにより、第１の掛止部２０のループが構成される。
【００３２】
第２の掛止部２５は、布バンド２６の一端を袋本体の取付け側面１３の下端部に縫製・固定して固定端としている。本実施例の場合、厚手の縁布１９でパイピング縫製する際に、縁布１９と袋本体１１との間に挟んだ状態で縫製・固定しているため、取付け側面１３に沿うように固定されており、厚手の布バンド２６を用いているため、自身の可撓性により長尺ケース１０を水平にしても垂れてこない状態となっている。これにより、ランドセルから外した際に第２の掛止部が目立たない利点を奏する。
【００３３】
第２の掛止部２５においても、布バンド２６の自由端の先端部に掛止具としてのスナップ金具２７の一方を固設した。スナップ金具２７の他方は布バンド２６の固定端側に固設し、これらスナップ金具２７同士を連結することにより、第２の掛止部２５のループが構成される。
【００３４】
図５に示す通り、本実施例の長尺物ケース１０は、第１の掛止部２０をランドセル４０の本体４１の側壁部４２に表出している前ベルト４３の背面に回した後にスナップ金具２２同士を固定し、第２の掛止部２５をランドセル４０の底面側でレンジャク４４と連結して背負い紐となるブラ４５に回した後にスナップ金具２７同士を固定する。これにより、ランドセル用長尺物ケース１０がランドセルの側壁部４２にしっかりと２点で固定される。尚、第２の掛止部２５は、ブラ４５の一端を固定している固定金具に回して固定してもよい。
【００３５】
従って、登下校の際の激しい運動によっても、袋本体１１に収納又は差し込まれたリコーダ３０や物差し３５等の長尺物がブラブラすることなく、柱や塀などにぶつけるおそれが少なく、長尺物の破損の心配も少ない。更に、２点で固定されているため、もし一方の掛止部がランドセルから外れたとしても、ケース自体がランドセルから外れて紛失するおそれも少ない。
【００３６】
本実施例では、第１の掛止部２０及び第２の掛止部２５について布バンドとスナップ金具でループを構成しこれらをランドセル４０の前ベルト４３とブラ４５（又は取付け金具）との各々に固定したが、長尺物ケース１０をランドセルの２点に固定するものであればよく、種々の変更が可能である。
【図面の簡単な説明】
【００３７】
【図１】本考案のランドセル用長尺物ケースの一実施例の構成を示す正面図である。
【図２】図１のフラップ部を開放した状態を示す正面図である。
【図３】図１のランドセル用長尺物ケースの背面図である。
【図４】図１のランドセル用長尺物ケースの背面側斜視図である。
【図５】図１のランドセル用長尺物ケースを装着した状態を示す説明図である。
【符号の説明】
【００３８】
１０…ランドセル用長尺物ケース、
１１…袋本体、
１２…差し入れ口、
１３…取付け側面、
１４…前面、
１５…フラップ部、
１６…面ファスナー、
１７…面ファスナー、
１８…スリット、
１９…縁布（パイピング縫製）、
２０…第１の掛止部、
２１…布バンド、
２２…スナップ金具、
２５…第２の掛止部、
２６…布バンド、
２７…スナップ金具、
３０…リコーダ、
３１…頭部管、
３２…中部管、
３３…足部管、
３５…物差し、
４０…ランドセル、
４１…ランドセル本体、
４２…側壁部、
４３…前ベルト、
４４…レンジャク（背負い紐）、
４５…ブラ（背負い紐）、
【図１】
0003132033.tif 000003
【図２】
0003132033.tif 000004
【図３】
0003132033.tif 000005
【図４】
0003132033.tif 000006
【図５】
0003132033.tif 000007